(57)【要約】【課題】  本発明は，再剥離シートに，生体に有害とされるホルマリン発生の危険を有していない再剥離可能な吸着材であって，薄くし，透明とすることが可能で，更に，素材を変色させることない吸着材を用い，小型の再剥離シートに，複数の機能シートを重ねたり，裏面側に装飾表示などの機能を持たせたりすることを可能とする再剥離シートを提供することを目的とする。【解決手段】  上記課題を解決するため，本発明は，機能を有する表面シート層と，第１接着剤層と，再剥離可能なシリコン系樹脂又は塩化ビニール系樹脂よりなる吸着材層とを順次積層して貼り合わせたことを特徴とする再剥離シートとする。【選択図】        図１
2010121057.tif 000002
【特許請求の範囲】
【請求項１】
機能を有する表面シート層と，第１接着剤層と，再剥離可能なシリコン系樹脂又は塩化ビニール系樹脂よりなる吸着材層とを順次積層して貼り合わせたことを特徴とする再剥離シート。
【請求項２】
前記表面シート層と前記第１接着剤層の間に，中間接着剤層及び機能を有する中間シート層を設けたことを特徴とする請求項１に記載の再剥離シート。
【請求項３】
前記第１接着剤層と前記吸着剤層を透明とするとともに，前記表面シート層の表裏面に機能を持たせたことを特徴とする請求項１に記載の再剥離シート。
【請求項４】
前記第１接着剤層と前記吸着剤層を透明とするとともに，上記表面シート層の表面と中間シート層の裏面に機能を持たせたことを特徴とする請求項２に記載の再剥離シート。
【発明の詳細な説明】
【技術分野】
【０００１】
本発明は，携帯電話や携帯音楽再生機などに貼付して使用する小型で何度も再剥離が可能な再剥離シートに関するものであって，特に装飾などの機能や，ワイピングシートのように画面を清掃する機能など，１つ又は複数多種の機能を発揮できる再剥離シートを主眼に開発されたものである。
【背景技術】
【０００２】
従来より，携帯電話，携帯テレビ，携帯音楽再生機，携帯ゲーム機，モバイルＰＣ，ノートＰＣ，カーナビ，車の内部などに利用する小型の再剥離シートが存在した。特許文献１に示されるワイピングシートも，このような小型の再剥離シートを前提に提供されたものである。
【０００３】
従来，この種の小型の再剥離シートに利用される再剥離可能な吸着材として，特許文献１ににも示されるアクリル系のポリマーシートのようなアクリルフォーム吸着材を利用するのが一般的であった。
【０００４】
しかし，再剥離可能なアクリルホーム吸着材は，生体に有害とされるホルマリン発生の危険を有しているため，他の再剥離可能な吸着材が模索されていた。更に，再剥離可能なアクリルホーム吸着材は，薄くしたり，透明にしたりすることが難しく，また，素材を変色させる可能性を有していた。したがって，小型の再剥離シートに，複数の機能シートを重ねたり，裏面側に装飾表示などの機能を持たせたりすることが難しかった。
【０００５】
【特許文献１】特開２００７−１５１９５０号公開特許公報
【発明の開示】
【発明が解決しようとする課題】
【０００６】
本発明は，上記従来技術の問題点を解決しようとするもので，再剥離シートに，生体に有害とされるホルマリン発生の危険を有していない再剥離可能な吸着材であって，薄くし，透明とすることが可能で，更に，素材を変色させることない吸着材を用い，小型の再剥離シートに，複数の機能シートを重ねたり，裏面側に装飾表示などの機能を持たせたりすることを可能とする再剥離シートを提供することを目的とする。
【課題を解決するための手段】
【０００７】
上記課題を解決するため，第１の発明は，機能を有する表面シート層と，第１接着剤層と，再剥離可能なシリコン系樹脂又は塩化ビニール系樹脂よりなる吸着材層とを順次積層して貼り合わせたことを特徴とする再剥離シートとする。
【０００８】
第２の発明は，第１の発明に，前記表面シート層と前記第１接着剤層の間に，中間接着剤層及び機能を有する中間シート層を設けたこと付加した再剥離シートである。すなわち，第２の発明は，機能を有する表面シート層と，中間接着剤層と，機能を有する中間シート層と，第１接着剤層と，再剥離可能なシリコン系樹脂又は塩化ビニール系樹脂よりなる吸着材層とを順次積層して貼り合わせたことを特徴とする再剥離シートである。
【０００９】
第３の発明は，第１の発明に，前記第１接着剤層と前記吸着剤層を透明とするとともに，前記表面シート層の表裏面に機能を持たせたことを付加した再剥離シートである。すなわち，第３の発明は，機能を有する表面シート層と，第１接着剤層と，再剥離可能なシリコン系樹脂又は塩化ビニール系樹脂よりなる吸着材層とを順次積層して貼り合わせた再剥離シートであって，その上，上記第１接着剤層と上記吸着剤層を透明とするとともに，上記表面シート層の表裏面に機能を持たせたことを特徴とする再剥離シートである。
【００１０】
第４の発明は，第２の発明に，前記第１接着剤層と前記吸着剤層を透明とするとともに，上記表面シート層の表面と中間シート層の裏面に機能を持たせたことを付加した再剥離シートである。すなわち，第４の発明は，機能を有する表面シート層と，中間接着剤層と，機能を有する中間シート層と，第１接着剤層と，再剥離可能なシリコン系樹脂又は塩化ビニール系樹脂よりなる吸着材層と，を順次積層して，貼り合わせた再剥離シートであって，上記第１接着剤層と，上記吸着剤層を透明とするとともに，上記表面シート層の表面と中間シート層の裏面に機能を持たせたことを特徴とする再剥離シートである。
【発明の効果】
【００１１】
本発明は，再剥離可能なシリコン系樹脂又は塩化ビニール系樹脂よりなる吸着材層を吸着材として用いているため，ホルマリンの発生の危険がなく，生体にとって安全な再剥離シートとして製品化できた。
【００１２】
その上，この吸着材は，薄く，変色の可能性もないため，中間に機能シートを複数いれることもできる上，第１接着剤層や吸着剤層を透明とすることにより裏面側にも模様などを表すことができるものとなった。
【発明を実施するための最良の形態】
【００１３】
以下，図面に従って，実施例とともに本発明の実施の形態について説明する。図１は本発明の第１実施例に係る再剥離シートの構造を示す拡大部分説明図であり，第１実施例の再剥離シート１は，表面シート２，第１接着剤層４，支持シート５，再剥離可能な吸着材層３，りけい紙６を，順に積層させたものである。
【００１４】
表面シート２は，本発明での機能を有する表面シート層に当たるもので，マイクロファイバー，布帛，不織布，フィルム，再帰性反射フィルムなどで作成され，機能としては，表裏面への印刷図柄の表示，ホログラム（３次元像を記録する写真）の表示，鏡面の形成による鏡とすること，電磁波軽減シートとすること，バーコードやＱＲコード（２次元コード）を表示すること，芳香作用を持たせること，などが考えられる。
【００１５】
第１接着剤層４は，表面シート２と支持シート５を接着するもので，通常，アクリル系樹脂が用いられている。支持シート５は，紙やフィルムで作成されるシートであり，吸着材層３を支持するためのものであるが，第１接着剤層４の改良や中間機能シート８の素材により，不要となる場合もあるので，実施例では用いてるが，不可欠なものではない。
【００１６】
吸着材層３は，再剥離可能なシリコン系樹脂又は塩化ビニール系樹脂を用いる。実施例はシリコン系樹脂を用いて作成した。図中符号６は，りけい紙であり，再剥離シート１が製品として提供される際に，他に不要に吸着することを防ぐために貼られている。なお，表面シート２の裏面にも表示用の印刷を施した場合，第１接着剤層４，支持シート５及び吸着剤層３は，透明なものとすることになる。
【００１７】
図２は，本発明の第２実施例に係る再剥離シート１の構造を示す部分拡大説明図であり，表面シート２は，中間接着剤層７，中間機能シート８が挟まれて，第１接着剤層４で支持シート５に接着されており，支持シート５の下部に吸着材層３を積層して貼り合わせたものである。尚，第１実施例同様最下部には，りけい紙６が貼付されている。
【００１８】
なお，第２実施例での，表面シート２，第１接着剤層４，支持シート５，吸着剤層３，及び，りけい紙６は，第１実施例と同様の素材及び機能でよく，中間接着剤層７は，第１接着剤層４と同様であってよい。
【００１９】
中間機能シート８は，表面シート２とほぼ同じものが利用できるが，中間機能シート８の上方には表面シート２が存在するため，中間機能シート８の表面側に印刷図柄などがプリントされることは通常必要ではなく，裏面側にのみプリントがなされればよい。
【００２０】
このようにしてなる再剥離シート１は，使用に際しては，りけい紙６を剥がし，図３に示されるように携帯電話９などに貼付して，表面側では，表面シート２に表示された図柄などで表示機能を発揮させたり，鏡機能などを発揮させたりし，剥離して裏面側の表示機能などを発揮させたりする。その上，何度も貼ったり剥がしたりすることができるので，非常に便利である。
【００２１】
本発明に係る再剥離シート１は，携帯電話，携帯テレビ，携帯音楽再生機，携帯ゲーム機，モバイルＰＣ，ノートＰＣ，カーナビ，車の内部などに貼られて使用したり，クレジットカード，電子マネーカード，キャッシュカードなどに添付して，表面記載の個人情報を隠したり，装飾を楽しんだりして利用するものである。
【図面の簡単な説明】
【００２２】
【図１】本発明に係る第１実施例に係る再剥離シートの構造を示す拡大部分説明図
【図２】第２実施例に係る再剥離シートの構造を示す部分拡大説明図
【図３】携帯電話での利用状態を示す説明図
【符号の説明】
【００２３】
１・・・・・再剥離シート
２・・・・・表面シート
３・・・・・吸着材層
４・・・・・第１接着剤層
５・・・・・支持シート
６・・・・・りけい紙
７・・・・・中間接着剤層
８・・・・・中間機能シート
９・・・・・携帯電話
【図１】
2010121057.tif 000003
【図２】
2010121057.tif 000004
【図３】
2010121057.tif 000005